(57)【要約】【課題】  本発明は、手指，被服・見回り品などが自動開閉ドアとの間の隙間に挟まれる事故を確実に防止することができる自動開閉ドアにおける手指等の挟み事故防止装置を新規に提供するものである。【解決手段】  本発明は、方立てまたは戸袋と自動開閉ドアとの間の隙間がドアの形式によって広い場合も、ずらしを含んで位置決め固定する調整取付部材と該調整取付部材の嵌付部に嵌付けて該隙間を可及的に小に狭める緩衝部材とからなり、該緩衝部材の該隙間側に触手した手指等を該隙間から跳ね離す外凹み斜面付の突出部を滑り加工を施して設けたことを特徴とする自動開閉ドアにおける手指等の挟み事故防止装置にある。【選択図】図１
2011026821.tif 000002
【特許請求の範囲】
【請求項１】
方立てまたは戸袋と自動開閉ドアとの間の隙間がドアの形式によって広い場合に、方立て等にずらしを含んで位置決めして固定する調整取付部材と該調整取付部材の嵌付部に嵌付けてドアに外端を接近させて該隙間を狭める緩衝部材とからなり、該緩衝部材の該隙間側に触手した手指等を該隙間から跳ね離す外凹み斜面付の突出部を滑り加工を施して設けたことを特徴とする自動開閉ドアにおける手指等の挟み事故防止装置。
【請求項２】
緩衝部材内に触手により自動開閉ドアを停止または戻り閉じ作動させる非常用の線状スイッチを設けた請求項１に記載の自動開閉ドアにおける手指等の挟み事故防止装置。
【請求項３】
調整取付部材と緩衝部材は自動開閉ドアの入口側，出口側の双方に取付けする請求項１または２に記載の自動ドアにおける手指等の挟み事故防止装置。
【請求項４】
調整取付部材と緩衝部材は自動開閉ドアの戸枠に囲まれたガラス面と方立てとの間および戸開き方向側の戸枠と方立てとの間に取付けする請求項１または２に記載の自動ドアにおける手指等の挟み事故防止装置。
【発明の詳細な説明】
【技術分野】
【０００１】
この発明は、引戸式の自動開閉ドアにおける手指等の挟み事故防止装置に関するものである。
【背景技術】
【０００２】
本願の発明者はこの種の事故防止装置として特願２００９−０９２５７５を提案している。
その内容は、方立てまたは戸袋のドア側に触手した手指をドアから離す凹み斜面付のヘッドを取付け、該凹み斜面の奥に触手を感知してドアの走行を停止または反転させる感知センサーを設けたことを記載している。
【先行技術文献】
【特許文献】
【０００３】
【特許文献１】特願２００９−０９２５７５
【発明の概要】
【発明が解決しようとする課題】
【０００４】
しかしながら、上記のヘッドはドアのガラス面を断面Γ形などとする片面受けの戸枠のときは、ドアと方立てまたは戸袋との間の隙間が接面するほどに狭いために有効であるが、ガラス面を断面コ形の戸枠にて囲むドアにあっては、戸枠の翼片分において隙間が広くなることで適当ではないという課題がある。
【課題を解決するための手段】
【０００５】
本発明は、ドアの形式等によってドアと方立てまたは戸袋との間の隙間が広い場合も方立て等にずらし止めして固定することができる調整取付部材と、該調整取付部材に嵌付けする緩衝部材とをもって構成して、隙間を近接するまで狭め、且つ該緩衝部材の該隙間側に触手した手指等を該隙間から跳ね離す外凹み斜面付の突出部を滑り加工を施して、かかる課題を解決するようにしたのである。
【発明の効果】
【０００６】
本発明は、方立て等に位置決めして固定する調整取付部材と、これに嵌着する緩衝部材とを以って構成したので、広い隙間は当然のこと、隙間の大きさに対応して隙間を狭めるようにずらし取付けすることができて、挟み事故を確実に防止することができるという効果を生ずる。
【０００７】
外凹み斜面を含む突出部に滑り加工を施しているので、触手しても、挟まれても滑り抜けて離れて事故に至らないという効果を生ずる。
【図面の簡単な説明】
【０００８】
【図１】（ａ）は本発明装置の調整取付部材を自動開閉ドアに面した方立てに位置決めしてビス止め固定したときの部分拡大横断平面図、（ｂ）は同、カバーにて美粧し、緩衝部材を嵌着した状態を示す図
【図２】同、自動開閉ドアに触れた手指等が外凹み斜面を滑ってガラス面から跳ね離される状態を示す平面図
【図３】同、誤って隙間に挟まれた手指が軽く抜ける状況を示す平面図
【図４】（ａ）は戸袋のドアを挟んだ内外の出入口の双方に本発明装置を備えた実施例を示す部分拡大横断平面図、（ｂ）は方立てとガラス面間および方立てと開き方向側の戸枠間のそれぞれに本発明装置を備えた実施例を示す部分拡大横断平面図
【図５】第２実施例で、（ａ）は緩衝部材の空洞部内に線状スイッチを配線した横断平面図、（ｂ）は同、触手により線状スイッチが作動した状態を示す平面図、（ｃ）は同、手指等が隙間に入って外凹み斜面を変形して線状スイッチが作動した状態を示す平面図
【発明を実施するための形態】
【０００９】
本発明は、方立てまたは戸袋に隙間の大きさに合わせて位置決め固定する調整取付部材と該調整取付部材の嵌付部に嵌付けする緩衝部材とをもって構成したので、広い間隙も近接するまでに狭めることができ、しかも緩衝部材の隙間側に触手した手指等を該隙間から外方に跳ね離す外凹み斜面付の突出部を滑り加工を施して設けたので、触手により隙間に引込まれそうな手指を外凹み斜面に沿って滑り跳ね離して以って挟まれ事故を未然に防止するようにしたのである。
また、緩衝部材内を空洞にしたことと、触手により作動する停止または戻り開放作動する非常用の線状スイッチを設けたので、挟まれ事故は初期の段階で防止されるなど安全性をより高めることができるようにしたのである。
【実施例１】
【００１０】
断面コ形の戸枠１により囲まれたガラス面２からなる引戸タイプの自動開閉ドア３と収納する方立てまたは戸袋４との間の隙間Ｋは戸枠１の厚み分において広くなる。
【００１１】
方立てまたは戸袋４はドア３の出入口に間隙Ｋ方向に向けて本発明装置を縦長において取付ける。先づ調整取付部材５を隙間Ｋを勘案して位置決めしてビス５ａ止め固定し、カバー５ｂにて美粧する。なお、調整取付部材５はビス５ａ止めにかえて両面テープまたは接着剤にて固定することもある。
【００１２】
次いで緩衝部材６の嵌合部６ａを調整取付部材５の嵌合部５ｃに嵌めて取付けする。緩衝部材６の外端は間隙Ｋを埋めてガラス面２に接近することとなる。また緩衝部材６の外端は戸閉じ方向に突出する突出部６ｂとその先端より嵌付け側に外凹み斜面６ｃを形成している。なお、突出部６ｂのガラス面２側は平坦面である。
【００１３】
突出部６ｂのガラス面２側と外凹み斜面６ｃの表面はシリコーンまたはフッ素により滑り加工が施される。なお、緩衝部材６はその全長の内部を空洞にしている。
【００１４】
しかして、自動開閉ドア３が開いて室内に入る際に誤ってガラス面２に手指が触れてそのまま方立てまたは戸袋４の出入口に引込まれそうになると、図２に示すように、手指は出入口において緩衝部材６の突出部６ｂの頂部から外凹み斜面６ｃを滑り動いて隙間Ｋから離されるを以って引込まれたり挟まれるということはない。万一、子供などの小さな手指が隙間Ｋ側に引込まれたときも、滑り加工が施されていることと、緩衝部材６が内部の空洞に向けて凹むことで広がるために、図３に示すように軽く抜けて挟まれ事故に進展しないこととなる。
【００１５】
室内から外に出るときも本発明装置が図４（ａ）に示すように取付けられているときは、入るときと同様の安全が計られることとなる。また、図４（ｂ）に示すように、戸開き方向側の戸枠１にも本発明装置を取付けて、開き移動する戸枠１と方立て４間の隙間Ｋに手指等が挟み込まれないようにすることもある。
【実施例２】
【００１６】
図５は第２実施例であって、（ａ）に示すように緩衝部材６内の空洞部６ｄ内に非常用の線状スイッチ７を配線して、（ｂ）に示すように外凹み斜面６ｃに触手することで感知するとドア３を停止または戻り閉じするようにしたのである。また手指が隙間Ｋに引込まれたときも（ｃ）に示すように緩衝部材６の変形圧によって線状スイッチ７は同様に作動して事故が進行しないようにしている。その他の構成と作用は前例と同じである。
【産業上の利用可能性】
【００１７】
本発明は方立てまたは戸袋と自動開閉ドアとの間の隙間がドアの形式によって広い場合も、間隙の広さに合わせてずらし取付けする調整取付部材と、これに嵌付けする緩衝部材とをもって構成したので、すべてに取付け得ることで広く利用されるものである。
【符号の説明】
【００１８】
１は戸枠
２はガラス面
３は引戸タイプの自動開閉ドア
４は方立てまたは戸袋
５は調整取付部材
５ａはビス
５ｂはカバー
５ｃは嵌合部
６は緩衝部材
６ａは嵌合部
６ｂは突出部
６ｃは外凹み斜面
７は非常用の線状スイッチ
【図１】
2011026821.tif 000003
【図２】
2011026821.tif 000004
【図３】
2011026821.tif 000005
【図４】
2011026821.tif 000006
【図５】
2011026821.tif 000007